(57)【要約】【課題】ページ印刷機能を持たないコピー、複合機等に対して印字出力を行う場合にも任意のページ番号付けを設定することが可能な印刷処理装置、方法およびプログラムを提供する。【解決手段】印刷ジョブ作成管理部８は印刷画像および設定データに基づいて印刷ジョブを作成する。ここで、ページ番号付与の指定および設定内容が有る場合、ページ番号付与の設定内容に基づいてページ番号データを作成し、ページ番号画像データ生成部１１はページ番号データに基づいてページ番号画像データを生成し、ページ番号画像データ合成部１２はページ番号データに基づいて印刷画像にページ番号画像データを合成し、印刷ジョブ作成管理部８はページ番号付き印刷画像に基づいて印刷ジョブを再作成し、印刷ジョブ送信部１３は印刷ジョブを画像出力装置４に送信する。【選択図】図２
2005328350.tif 000002
【特許請求の範囲】
【請求項１】
画像出力装置で出力する印刷ジョブを処理する印刷処理装置において、
画像データおよびページ番号付与の指定内容を受け付ける受付手段と、
前記受付手段で受け付けた画像データに基づき、印刷画像を生成する印刷画像生成手段と、
前記受付手段で受け付けたページ番号付与の指定内容に基づき、ページ番号データを作成するページ番号データ作成手段と、
前記ページ番号データ作成手段で作成したページ番号データに基づき、ページ番号の画像データを生成するページ番号画像データ生成手段と、
前記ページ番号画像データ生成部で生成したページ番号の画像データを、前記ページ番号データに従って、前記印刷画像生成手段で生成した印刷画像に合成するページ番号画像データ合成手段と、
前記ページ番号画像データ合成手段で合成したページ番号付きの印刷画像に基づき、印刷ジョブを作成する印刷ジョブ作成手段と、
前記印刷ジョブ作成手段で作成した印刷ジョブを前記画像出力装置に送信する印刷ジョブ送信手段と
を具備することを特徴とする印刷処理装置。
【請求項２】
前記ページ番号付与の指定内容は、
ページ番号開始ページ、開始ページ番号、フォント、フォントサイズおよびページ番号付与位置であり、
前記ページ番号画像データ生成部は、
前記開始ページ番号、前記フォントおよび前記フォントサイズに従って、前記ページ番号の画像データを生成し、
前記ページ番号画像データ合成手段は、
前記ページ番号開始ページおよびページ番号付与位置に従って、前記ページ番号の画像データを前記印刷画像に合成する
ことを特徴とする請求項１記載の印刷処理装置。
【請求項３】
前記ページ番号画像データ合成手段は、
前記印刷画像の出力指定に従って、前記ページ番号の画像データを前記印刷画像に合成する
ことを特徴とする請求項１記載の印刷処理装置。
【請求項４】
前記印刷画像と前記ページ番号データとを関連付けて保存する保存手段
を更に具備することを特徴とする請求項１記載の印刷処理装置。
【請求項５】
前記保存手段に保存された印刷画像を出力する場合、
前記ページ番号画像データ生成手段は、
前記印刷画像と関連付けられたページ番号データに基づき、前記ページ番号の画像データを生成し、
前記ページ番号画像データ合成手段は、
前記ページ番号画像データ生成手段で生成したページ番号の画像データを前記印刷画像に合成し、
前記ページ番号画像合成手段で合成したページ番号付きの印刷画像の印刷ジョブを前記画像装置に送信する
ことを特徴とする請求項４記載の印刷処理装置。
【請求項６】
前記保存手段に保存された印刷画像を出力する際に、前記受付手段が該印刷画像と関連付けられたページ番号データとは異なるページ番号付与の指定内容を受け付けた場合、
前記ページ番号データ作成手段は、
前記受付手段で受け付けたページ番号付与の指定内容に基づき、前記ページ番号データを作成し、
前記ページ番号データ作成手段で作成したページ番号データに基づいて生成したページ番号の画像データを合成した印刷画像の印刷ジョブを前記画像出力装置に送信する
ことを特徴とする請求項５記載の印刷処理装置。
【請求項７】
前記画像出力装置におけるページ番号付与機能の有無を確認する画像出力装置制御手段
を更に具備し、
前記画像出力装置にページ番号付与機能が無い場合、前記ページ番号の画像データを合成した印刷画像の印刷ジョブを該画像出力装置に送信し、
前記画像出力装置にページ番号付与機能が有る場合、前記ページ番号の画像データを印刷画像に合成せずに、該印刷画像の印刷ジョブを該画像出力装置に送信する
ことを特徴とする請求項１記載の印刷処理装置。
【請求項８】
前記画像出力装置制御手段は、
出力先として複数の画像出力装置が指定された際に、該出力先として指定された全画像出力装置におけるページ番号付与機能の有無を確認し、
前記全画像出力装置に同一のページ番号付与機能が無い場合、前記ページ番号の画像データを合成した印刷画像の印刷ジョブを該全画像出力装置に送信し、
前記全画像出力装置に同一のページ番号付与機能が有る場合、前記ページ番号の画像データを印刷画像に合成せずに、該印刷画像の印刷ジョブを該全画像出力装置に送信する
ことを特徴とする請求項７記載の印刷処理装置。
【請求項９】
画像出力装置で出力する印刷ジョブを処理する印刷処理方法において、
画像データおよびページ番号付与の指定内容を受け付け、
該受け付けた画像データに基づき、印刷画像を生成し、
前記受け付けたページ番号付与の指定内容に基づき、ページ番号データを作成し、
該作成したページ番号データに基づき、ページ番号の画像データを生成し、
該生成したページ番号の画像データを、前記ページ番号データに従って、前記印刷画像に合成し、
該合成したページ番号付きの印刷画像に基づき、印刷ジョブを作成し、
該作成した印刷ジョブを前記画像出力装置に送信する
ことを特徴とする印刷処理方法。
【請求項１０】
前記ページ番号付与の指定内容は、
ページ番号開始ページ、開始ページ番号、フォント、フォントサイズおよびページ番号付与位置であり、
前記開始ページ番号、前記フォントおよび前記フォントサイズに従って、前記ページ番号の画像データを生成し、
前記ページ番号開始ページおよびページ番号付与位置に従って、前記ページ番号の画像データを前記印刷画像に合成する
ことを特徴とする請求項９記載の印刷処理方法。
【請求項１１】
前記印刷画像の出力指定に従って、前記ページ番号の画像データを前記印刷画像に合成する
ことを特徴とする請求項９記載の印刷処理方法。
【請求項１２】
前記印刷画像と前記ページ番号データとを関連付けて保存する
ことを特徴とする請求項９記載の印刷処理方法。
【請求項１３】
前記保存された印刷画像を出力する場合、
前記印刷画像と関連付けられたページ番号データに基づき、前記ページ番号の画像データを生成し、
該生成したページ番号の画像データを前記印刷画像に合成し、
該合成したページ番号付きの印刷画像の印刷ジョブを前記画像装置に送信する
ことを特徴とする請求項１２記載の印刷処理方法。
【請求項１４】
前記保存された印刷画像を出力する際に、該印刷画像と関連付けられたページ番号データとは異なるページ番号付与の指定内容を受け付けた場合、
該受け付けたページ番号付与の指定内容に基づき、前記ページ番号データを作成し、
該作成したページ番号データに基づいて生成したページ番号の画像データを合成した印刷画像の印刷ジョブを前記画像出力装置に送信する
ことを特徴とする請求項１３記載の印刷処理方法。
【請求項１５】
前記画像出力装置におけるページ番号付与機能の有無を確認し、
前記画像出力装置にページ番号付与機能が無い場合、前記ページ番号の画像データを合成した印刷画像の印刷ジョブを該画像出力装置に送信し、
前記画像出力装置にページ番号付与機能が有る場合、前記ページ番号の画像データを印刷画像に合成せずに、該印刷画像の印刷ジョブを該画像出力装置に送信する
ことを特徴とする請求項９記載の印刷処理方法。
【請求項１６】
出力先として複数の画像出力装置が指定された際に、該出力先として指定された全画像出力装置におけるページ番号付与機能の有無を確認し、
前記全画像出力装置に同一のページ番号付与機能が無い場合、前記ページ番号の画像データを合成した印刷画像の印刷ジョブを該全画像出力装置に送信し、
前記全画像出力装置に同一のページ番号付与機能が有る場合、前記ページ番号の画像データを印刷画像に合成せずに、該印刷画像の印刷ジョブを該全画像出力装置に送信する
ことを特徴とする請求項１５記載の印刷処理方法。
【請求項１７】
画像出力装置で出力する印刷ジョブを処理する印刷処理プログラムにおいて、
画像データおよびページ番号付与の指定内容を受け付ける処理と、
該受け付けた画像データに基づき、印刷画像を生成する処理と、
該受け付けたページ番号付与の指定内容に基づき、ページ番号データを作成する処理と、
該作成したページ番号データに基づき、ページ番号の画像データを生成する処理と、
該生成したページ番号の画像データを、前記ページ番号データに従って、前記印刷画像生成手段で生成した印刷画像に合成する処理と、
該合成したページ番号付きの印刷画像に基づき、印刷ジョブを作成する処理と、
該作成した印刷ジョブを前記画像出力装置に送信する処理と
をコンピュータに動作させることを特徴とする印刷処理プログラム。
【請求項１８】
前記ページ番号付与の指定内容は、
ページ番号開始ページ、開始ページ番号、フォント、フォントサイズおよびページ番号付与位置であり、
前記開始ページ番号、前記フォントおよび前記フォントサイズに従って、前記ページ番号の画像データを生成する処理と、
前記ページ番号開始ページおよびページ番号付与位置に従って、前記ページ番号の画像データを前記印刷画像に合成する処理と
をコンピュータに動作させることを特徴とする請求項１７記載の印刷処理プログラム。
【請求項１９】
前記ページ番号画像データ合成手段は、
前記印刷画像の出力指定に従って、前記ページ番号の画像データを前記印刷画像に合成する
ことを特徴とする請求項１７記載の印刷処理方法。
【請求項２０】
前記印刷画像と前記ページ番号データとを関連付けて保存する処理
をコンピュータに動作させることを特徴とする請求項１７記載の印刷処理プログラム。
【請求項２１】
前記保存された印刷画像を出力する場合、
前記印刷画像と関連付けられたページ番号データに基づき、前記ページ番号の画像データを生成する処理と、
該生成したページ番号の画像データを前記印刷画像に合成する処理と、
該合成したページ番号付きの印刷画像の印刷ジョブを前記画像装置に送信する処理と
をコンピュータに動作させることを特徴とする請求項２０記載の印刷処理プログラム。
【請求項２２】
前記保存された印刷画像を出力する際に、該印刷画像と関連付けられたページ番号データとは異なるページ番号付与の指定内容を受け付けた場合、
該受け付けたページ番号付与の指定内容に基づき、前記ページ番号データを作成する処理と、
該作成したページ番号データに基づいて生成したページ番号の画像データを合成した印刷画像の印刷ジョブを前記画像出力装置に送信する処理と
をコンピュータに動作させることを特徴とする請求項２１記載の印刷処理プログラム。
【請求項２３】
前記画像出力装置におけるページ番号付与機能の有無を確認する処理と、
前記画像出力装置にページ番号付与機能が無い場合、前記ページ番号の画像データを合成した印刷画像の印刷ジョブを該画像出力装置に送信する処理と、
前記画像出力装置にページ番号付与機能が有る場合、前記ページ番号の画像データを印刷画像に合成せずに、該印刷画像の印刷ジョブを該画像出力装置に送信する処理と
をコンピュータに動作させることを特徴とする請求項１７記載の印刷処理プログラム。
【請求項２４】
出力先として複数の画像出力装置が指定された際に、該出力先として指定された全画像出力装置におけるページ番号付与機能の有無を確認する処理と、
前記全画像出力装置に同一のページ番号付与機能が無い場合、前記ページ番号の画像データを合成した印刷画像の印刷ジョブを該全画像出力装置に送信する処理と、
前記全画像出力装置に同一のページ番号付与機能が有る場合、前記ページ番号の画像データを印刷画像に合成せずに、該印刷画像の印刷ジョブを該全画像出力装置に送信する処理と
をコンピュータに動作させることを特徴とする請求項２３記載の印刷処理プログラム。
【発明の詳細な説明】
【技術分野】
【０００１】
本発明は、印刷処理装置、方法およびプログラムに関し、特に、印刷物の特定領域にページ番号を付与する印刷処理装置、方法およびプログラムに関する。
【背景技術】
【０００２】
従来、文書の印刷（コピー、プリント等）を行う場合に、印刷物の特定領域にページ番号を付与する機能（ナンバリング）が様々な出力機でサポートされている。このページ番号の付与の処理に対して、その指定方法の柔軟性や、出力結果の妥当性を保証するために様々な技術が開示されている。
【０００３】
例えば、原稿の任意の箇所に１ページ目を割り当て可能にし、また、コピー挿入紙および白紙挿入紙に対するページ番号印字設定を行うことが可能な画像形成装置がある（例えば、特許文献１参照。）。
【０００４】
例えば、ナンバリング機能や機密印刷機能等のキャラクタデータを合成する機能と後処理機能の組み合わせを行う場合でも、最適な出力を得ることが可能な画像形成装置がある（例えば、特許文献２参照。）。（例えば、特許文献１参照。）。
【特許文献１】特開２００１−３４７７３５号公報
【特許文献２】特開２００３−６０８２３号公報
【発明の開示】
【発明が解決しようとする課題】
【０００５】
しかし、特許文献１に開示されている技術では、出力時の複雑なページ印字指定を解釈を行う処理を印刷時に行うため、特定の出力機以外ではページを行うことができず、既存のアプリケーションからの出力等の場合には、そのアプリケーションに実装されているページ付け機能に依存してしまうという問題がある。
【０００６】
また、特許文献２に開示されている技術では、ページ位置の検出手段等を印刷時に行うため、特定の出力機の場合でしか機能利用することができないという問題がある。
【０００７】
そこで、本発明は、上記問題点を考慮し、ページ印刷機能を持たないコピー、複合機等に対して印字出力を行う場合にも任意のページ番号付けを設定することが可能な印刷処理装置、方法およびプログラムを提供することを目的とする。
【課題を解決するための手段】
【０００８】
上記目的を達成するため、請求項１の発明は、画像出力装置で出力する印刷ジョブを処理する印刷処理装置において、画像データおよびページ番号付与の指定内容を受け付ける受付手段と、前記受付手段で受け付けた画像データに基づき、印刷画像を生成する印刷画像生成手段と、前記受付手段で受け付けたページ番号付与の指定内容に基づき、ページ番号データを作成するページ番号データ作成手段と、前記ページ番号データ作成手段で作成したページ番号データに基づき、ページ番号の画像データを生成するページ番号画像データ生成手段と、前記ページ番号画像データ生成部で生成したページ番号の画像データを、前記ページ番号データに従って、前記印刷画像生成手段で生成した印刷画像に合成するページ番号画像データ合成手段と、前記ページ番号画像データ合成手段で合成したページ番号付きの印刷画像に基づき、印刷ジョブを作成する印刷ジョブ作成手段と、前記印刷ジョブ作成手段で作成した印刷ジョブを前記画像出力装置に送信する印刷ジョブ送信手段とを具備することを特徴とする。
【０００９】
なお、受付手段は図２に示す受付部６に対応し、印刷画像生成手段は図２に示す画像データ変換部７に対応し、ページ番号データ作成手段は図３に示すページ番号データ作成手段１６に対応し、ページ番号画像データ生成手段は図２に示すページ番号画像データ生成部１１に対応し、ページ番号画像データ合成手段は図２に示すページ番号画像データ合成部１２に対応し、印刷ジョブ作成手段は図２に示す印刷ジョブ作成管理部８に対応し、印刷ジョブ送信手段は図２に示す印刷ジョブ送信部１３に対応する。
【００１０】
また、請求項２の発明は、請求項１の発明において、前記ページ番号付与の指定内容は、ページ番号開始ページ、開始ページ番号、フォント、フォントサイズおよびページ番号付与位置であり、前記ページ番号画像データ生成部は、前記開始ページ番号、前記フォントおよび前記フォントサイズに従って、前記ページ番号の画像データを生成し、前記ページ番号画像データ合成手段は、前記ページ番号開始ページおよびページ番号付与位置に従って、前記ページ番号の画像データを前記印刷画像に合成することを特徴とする。
【００１１】
また、請求項３の発明は、請求項１の発明において、前記ページ番号画像データ合成手段は、前記印刷画像の出力指定に従って、前記ページ番号の画像データを前記印刷画像に合成することを特徴とする。
【００１２】
また、請求項４の発明は、請求項１の発明において、前記印刷画像と前記ページ番号データとを関連付けて保存する保存手段を更に具備することを特徴とする。
【００１３】
なお、保存手段は図２に示す印刷ジョブ保存部９に対応する。
【００１４】
また、請求項５の発明は、請求項４の発明において、前記保存手段に保存された印刷画像を出力する場合、前記ページ番号画像データ生成手段は、前記印刷画像と関連付けられたページ番号データに基づき、前記ページ番号の画像データを生成し、前記ページ番号画像データ合成手段は、前記ページ番号画像データ生成手段で生成したページ番号の画像データを前記印刷画像に合成し、前記ページ番号画像合成手段で合成したページ番号付きの印刷画像の印刷ジョブを前記画像装置に送信することを特徴とする。
【００１５】
また、請求項６の発明は、請求項５の発明において、前記保存手段に保存された印刷画像を出力する際に、前記受付手段が該印刷画像と関連付けられたページ番号データとは異なるページ番号付与の指定内容を受け付けた場合、前記ページ番号データ作成手段は、前記受付手段で受け付けたページ番号付与の指定内容に基づき、前記ページ番号データを作成し、前記ページ番号データ作成手段で作成したページ番号データに基づいて生成したページ番号の画像データを合成した印刷画像の印刷ジョブを前記画像出力装置に送信することを特徴とする。
【００１６】
また、請求項７の発明は、請求項１の発明において、前記画像出力装置におけるページ番号付与機能の有無を確認する画像出力装置制御手段を更に具備し、前記画像出力装置にページ番号付与機能が無い場合、前記ページ番号の画像データを合成した印刷画像の印刷ジョブを該画像出力装置に送信し、前記画像出力装置にページ番号付与機能が有る場合、前記ページ番号の画像データを印刷画像に合成せずに、該印刷画像の印刷ジョブを該画像出力装置に送信することを特徴とする。
【００１７】
なお、画像出力装置制御手段は図２に示す画像出力装置制御部１０に対応する。
【００１８】
また、請求項８の発明は、請求項７の発明において、前記画像出力装置制御手段は、出力先として複数の画像出力装置が指定された際に、該出力先として指定された全画像出力装置におけるページ番号付与機能の有無を確認し、前記全画像出力装置に同一のページ番号付与機能が無い場合、前記ページ番号の画像データを合成した印刷画像の印刷ジョブを該全画像出力装置に送信し、前記全画像出力装置に同一のページ番号付与機能が有る場合、前記ページ番号の画像データを印刷画像に合成せずに、該印刷画像の印刷ジョブを該全画像出力装置に送信することを特徴とする。
【００１９】
また、請求項９の発明は、画像出力装置で出力する印刷ジョブを処理する印刷処理方法において、画像データおよびページ番号付与の指定内容を受け付け、該受け付けた画像データに基づき、印刷画像を生成し、前記受け付けたページ番号付与の指定内容に基づき、ページ番号データを作成し、該作成したページ番号データに基づき、ページ番号の画像データを生成し、該生成したページ番号の画像データを、前記ページ番号データに従って、前記印刷画像に合成し、該合成したページ番号付きの印刷画像に基づき、印刷ジョブを作成し、該作成した印刷ジョブを前記画像出力装置に送信することを特徴とする。
【００２０】
また、請求項１０の発明は、請求項９の発明において、前記ページ番号付与の指定内容は、ページ番号開始ページ、開始ページ番号、フォント、フォントサイズおよびページ番号付与位置であり、前記開始ページ番号、前記フォントおよび前記フォントサイズに従って、前記ページ番号の画像データを生成し、前記ページ番号開始ページおよびページ番号付与位置に従って、前記ページ番号の画像データを前記印刷画像に合成することを特徴とする。
【００２１】
また、請求項１１の発明は、請求項９の発明において、前記印刷画像の出力指定に従って、前記ページ番号の画像データを前記印刷画像に合成することを特徴とする。
【００２２】
また、請求項１２の発明は、請求項９の発明において、前記印刷画像と前記ページ番号データとを関連付けて保存することを特徴とする。
【００２３】
また、請求項１３の発明は、請求項１２の発明において、前記保存された印刷画像を出力する場合、前記印刷画像と関連付けられたページ番号データに基づき、前記ページ番号の画像データを生成し、該生成したページ番号の画像データを前記印刷画像に合成し、該合成したページ番号付きの印刷画像の印刷ジョブを前記画像装置に送信することを特徴とする。
【００２４】
また、請求項１４の発明は、請求項１３の発明において、前記保存された印刷画像を出力する際に、該印刷画像と関連付けられたページ番号データとは異なるページ番号付与の指定内容を受け付けた場合、該受け付けたページ番号付与の指定内容に基づき、前記ページ番号データを作成し、該作成したページ番号データに基づいて生成したページ番号の画像データを合成した印刷画像の印刷ジョブを前記画像出力装置に送信することを特徴とする。
【００２５】
また、請求項１５の発明は、請求項９の発明において、前記画像出力装置におけるページ番号付与機能の有無を確認し、前記画像出力装置にページ番号付与機能が無い場合、前記ページ番号の画像データを合成した印刷画像の印刷ジョブを該画像出力装置に送信し、前記画像出力装置にページ番号付与機能が有る場合、前記ページ番号の画像データを印刷画像に合成せずに、該印刷画像の印刷ジョブを該画像出力装置に送信することを特徴とする。
【００２６】
また、請求項１６の発明は、請求項１５の発明において、出力先として複数の画像出力装置が指定された際に、該出力先として指定された全画像出力装置におけるページ番号付与機能の有無を確認し、前記全画像出力装置に同一のページ番号付与機能が無い場合、前記ページ番号の画像データを合成した印刷画像の印刷ジョブを該全画像出力装置に送信し、前記全画像出力装置に同一のページ番号付与機能が有る場合、前記ページ番号の画像データを印刷画像に合成せずに、該印刷画像の印刷ジョブを該全画像出力装置に送信することを特徴とする。
【００２７】
また、請求項１７の発明は、画像出力装置で出力する印刷ジョブを処理する印刷処理プログラムにおいて、画像データおよびページ番号付与の指定内容を受け付ける処理と、該受け付けた画像データに基づき、印刷画像を生成する処理と、該受け付けたページ番号付与の指定内容に基づき、ページ番号データを作成する処理と、該作成したページ番号データに基づき、ページ番号の画像データを生成する処理と、該生成したページ番号の画像データを、前記ページ番号データに従って、前記印刷画像生成手段で生成した印刷画像に合成する処理と、該合成したページ番号付きの印刷画像に基づき、印刷ジョブを作成する処理と、該作成した印刷ジョブを前記画像出力装置に送信する処理とをコンピュータに動作させることを特徴とする。
【００２８】
また、請求項１８の発明は、請求項１７の発明において、前記ページ番号付与の指定内容は、ページ番号開始ページ、開始ページ番号、フォント、フォントサイズおよびページ番号付与位置であり、前記開始ページ番号、前記フォントおよび前記フォントサイズに従って、前記ページ番号の画像データを生成する処理と、前記ページ番号開始ページおよびページ番号付与位置に従って、前記ページ番号の画像データを前記印刷画像に合成する処理とをコンピュータに動作させることを特徴とする。
【００２９】
また、請求項１９の発明は、請求項１７の発明において、前記ページ番号画像データ合成手段は、前記印刷画像の出力指定に従って、前記ページ番号の画像データを前記印刷画像に合成することを特徴とする。
【００３０】
また、請求項２０の発明は、請求項１７の発明において、前記印刷画像と前記ページ番号データとを関連付けて保存する処理をコンピュータに動作させることを特徴とする。
【００３１】
また、請求項２１の発明は、請求項２０の発明において、前記保存された印刷画像を出力する場合、前記印刷画像と関連付けられたページ番号データに基づき、前記ページ番号の画像データを生成する処理と、該生成したページ番号の画像データを前記印刷画像に合成する処理と、該合成したページ番号付きの印刷画像の印刷ジョブを前記画像装置に送信する処理とをコンピュータに動作させることを特徴とする。
【００３２】
また、請求項２２の発明は、請求項２１の発明において、前記保存された印刷画像を出力する際に、該印刷画像と関連付けられたページ番号データとは異なるページ番号付与の指定内容を受け付けた場合、該受け付けたページ番号付与の指定内容に基づき、前記ページ番号データを作成する処理と、該作成したページ番号データに基づいて生成したページ番号の画像データを合成した印刷画像の印刷ジョブを前記画像出力装置に送信する処理とをコンピュータに動作させることを特徴とする。
【００３３】
また、請求項２３の発明は、請求項１７の発明において、前記画像出力装置におけるページ番号付与機能の有無を確認する処理と、前記画像出力装置にページ番号付与機能が無い場合、前記ページ番号の画像データを合成した印刷画像の印刷ジョブを該画像出力装置に送信する処理と、前記画像出力装置にページ番号付与機能が有る場合、前記ページ番号の画像データを印刷画像に合成せずに、該印刷画像の印刷ジョブを該画像出力装置に送信する処理とをコンピュータに動作させることを特徴とする。
【００３４】
また、請求項２４の発明は、請求項２３の発明において、出力先として複数の画像出力装置が指定された際に、該出力先として指定された全画像出力装置におけるページ番号付与機能の有無を確認する処理と、前記全画像出力装置に同一のページ番号付与機能が無い場合、前記ページ番号の画像データを合成した印刷画像の印刷ジョブを該全画像出力装置に送信する処理と、前記全画像出力装置に同一のページ番号付与機能が有る場合、前記ページ番号の画像データを印刷画像に合成せずに、該印刷画像の印刷ジョブを該全画像出力装置に送信する処理とをコンピュータに動作させることを特徴とする。
【発明の効果】
【００３５】
本発明によれば、ページ番号画像データの生成を画像出力装置でなく印刷処理装置で行うため、出力先の画像出力装置のページ番号付与機能の有無およびページ番号付与機能の種類に関わらず、ユーザ指定通りのページ番号付与が可能になるという効果を奏する。
【００３６】
更に、本発明によれば、分散印刷等の複数の画像出力装置に出力する場合でも、画像出力装置の種類によらない同一品質のページ番号付与が可能になるという効果を奏する。
【００３７】
更に、印刷画像にのみページ画像データが指定されるため、画像出力装置での出力処理時に白紙挿入されるような場合でも、挿入される白紙にはページ番号が印字されず、必要な部分に対してのみページ番号を付与することが可能になるという効果を奏する。
【００３８】
更に、ページ番号付与をプリント指定に応じた処理を行うことで、ユーザにより利便性の高いページ番号付与が可能になるという効果を奏する。
【００３９】
更に、ページ番号付与を再印刷用ファイルの中で論理的に保存するようにしたことで、再印刷指示時にページ番号開始ページ、ページ番号付与位置等の変更を行うことができ、ユーザにとってより柔軟なページ番号付与が可能になるといる効果を奏する。
【発明を実施するための最良の形態】
【００４０】
以下、本発明の実施の形態について添付図面を参照して詳細に説明する。
【００４１】
本発明の実施の形態として、画像入力装置と印刷処理装置と画像出力装置とがネットワークを介して接続されている構成を一例にして説明する。
【００４２】
なお、画像入力装置の画像入力部若しくは図示しないクライアント等から印刷処理装置に送信される文書、図またはイメージ等のデータを画像データとし、印刷処理装置で作成され、画像出力装置に出力されるデータを印刷ジョブとする。ここで、印刷ジョブは、画像出力装置で印刷処理される印刷画像（例えば、ＰＤＬ［Page Description Language］）および当該印刷処理の制御に用いられる設定データを含んでいる。
【００４３】
また、画像出力装置において印刷される文書等のページについては、印刷処理装置で作成された印刷ジョブを用いて、画像出力装置で用紙上に印刷画像を印刷する際に用紙１枚に印刷される範囲を１ページとする。
【００４４】
図１は、本発明の実施の形態で用いる印刷処理システム１の全体構成の一例を示すブロック図である。
【００４５】
図１に示すように、印刷処理システム１は印刷処理装置２と複数の画像入力装置３、複数の画像出力装置４がネットワーク５を介して接続されて構成される。なお、画像入力装置３および画像出力装置４は、必ずしも複数必要なわけではない。
【００４６】
ここで、各装置について詳細に説明する。
【００４７】
印刷処理装置２は、画像入力装置３若しくは図示しないクライアント等から発行される印刷データを受け付け、受け付けた印刷データに基づいて印刷ジョブを作成し、作成した印刷ジョブを指定された画像出力装置４に送信する。
【００４８】
画像入力装置３は、原稿を読み取ることで画像データを入力し、入力した画像データを印刷処理装置２に送信する。
【００４９】
画像出力装置４は、印刷処理装置２から受信した印刷ジョブに含まれる制御データに基づき、印刷ジョブに含まれる印刷画像を用紙上に形成する。
【００５０】
次に、印刷処理装置２、画像入力装置３、画像出力装置４のそれぞれの構成について詳細に説明する。
【００５１】
図２は、印刷処理装置２、画像入力装置３、画像出力装置４の機能的な構成を示すブロック図である。
【００５２】
印刷処理装置２の機能的な構成について詳細に説明する。
【００５３】
図２に示すように、印刷処理装置２は、受付部６、画像データ変換部７、印刷ジョブ作成管理部８、印刷ジョブ保存部９、画像出力装置制御部１０、ページ番号画像データ生成部１１、ページ番号画像データ合成部１２、印刷ジョブ送信部１３を具備して構成される。
【００５４】
ここで、各構成部について詳細に説明する。
【００５５】
受付部６は、画像入力装置３から送信される画像データ、および設定データを受け付ける処理を行う。
【００５６】
画像データ変換部７は、受付部６が受信した画像データを画像出力装置４が直接認識することができるプリンタ制御コードを用いて変換する処理を行う。以後、変換した画像データを印刷画像とする。
【００５７】
印刷ジョブ作成管理部８は、画像データ変換部７で変換した印刷画像に基づいて印刷ジョブを作成する処理、作成した印刷ジョブを管理する処理、およびページ番号データを作成する処理を行う。
【００５８】
印刷ジョブ保存部９は、印刷ジョブを再印刷用ファイルとして保存する。
【００５９】
画像出力装置制御部１０は、画像出力装置４を制御する処理を行う。
【００６０】
ページ番号画像データ生成部１１は、印刷ジョブ作成管理部８でせく製したページ番号データに基づいてページ番号画像データを生成する処理を行う。
【００６１】
ページ番号画像データ合成部１２は、ページ番号画像データ生成部１１で生成したページ番号画像データを印刷画像に合成する処理を行う。
【００６２】
印刷ジョブ送信部１３は、印刷ジョブ作成管理部８で作成した印刷ジョブを画像出力装置４に送信する処理を行う。
【００６３】
次に、画像入力装置３の機能的な構成について詳細に説明する。
【００６４】
図２に示すように、画像入力装置３は、画像入力部１４、出力条件設定部１５を具備して構成される。
【００６５】
ここで、各構成部について詳細に説明する。
【００６６】
画像入力部１４は、原稿を読み取って画像データを生成する処理を行う。
【００６７】
出力条件設定部１５は、ユーザによる画像データの出力先の指定、画像データの印刷条件の指定、ページ番号付与の指定および設定内容（ページ番号開始ページ、開始ページ番号、フォント、フォントサイズ、ページ番号付与位置）等の各種設定を受け付け、受け付けた各種設定に基づいて設定データを生成する。
【００６８】
次に、印刷処理装置２の印刷ジョブ作成管理部８、印刷ジョブ保存部９について詳細に説明する。
【００６９】
図３は、印刷ジョブ作成管理部８、印刷ジョブ保存部９について詳細に説明するブロック図である。
【００７０】
図３に示すように、印刷ジョブ作成管理部８は、ページ番号データ作成手段１６を有している。
【００７１】
ページ番号データ作成手段１６は、設定データに含まれるページ番号付与の設定内容に基づいてページ番号データを作成する機能である。
【００７２】
図３に示すように、印刷ジョブ保存部９はページ番号データ作成手段１６で作成したページ番号データ１７を再印刷用ファイル１８の中で印刷画像１９と別に論理的に保持している。従って、印刷画像１９を再印刷する際には、印刷画像１９とともに保存されているページ番号データ１７を使用しても良いし、新たなページ番号不要の設定内容に基づいて作成したページ番号データを使用しても良い。つまり、再印刷時にページ番号付与の内容を自由に変更することが可能になり、ユーザにとって、より柔軟なページ番号付与を行うことが可能になる。
【００７３】
次に、ページ番号を付与して印刷するように指示された際に、印刷処理装置２、画像入力装置３、画像出力装置４が行う機能的な動作について図２を参照して詳細に説明する。
【００７４】
画像入力装置３の画像入力部１４は原稿を読み取って画像データを生成するとともに、設定部１５は画像データの出力先の指定、画像データの印刷条件の指定、ページ番号付与の指定および設定内容等の各種設定に基づいて設定データを生成し、生成した画像データおよび設定データを印刷処理装置２に送信する。
【００７５】
印刷処理装置２の受付部６は画像入力装置３から送信された画像データおよび設定データを受け付けると、受け付けたた画像データおよび設定データを画像データ変換部７に渡し、画像データ変換部７は画像データおよび設定データを受け付けると、受け付けた設定データに基づいてプリンタ制御コードを用いて画像データを変換して印刷画像を生成し、生成した印刷画像と設定データとを印刷ジョブ作成管理部８に渡し、印刷ジョブ作成管理部８は印刷画像および設定データを受け付けると、受け付けた印刷画像および設定データに基づいて印刷ジョブを作成するとともに、当該設定データにページ番号付与の指定および設定内容が有るか否か確認する。
【００７６】
ここで、ページ番号付与の指定および設定内容が無い場合、印刷ジョブ作成管理部８は印刷ジョブを印刷ジョブ送信部１３に渡し、印刷ジョブ送信部１３は印刷ジョブを受け付けると、受け付けた印刷ジョブを画像出力装置４に送信する。
【００７７】
ここで、ページ番号付与の指定および設定内容が有る場合、ページ番号データ作成手段１６はページ番号付与の設定内容に基づいてページ番号データを作成する。なお、ページ番号データはページ番号開始ページ、ページ開始番号、フォント、フォントサイズ、ページ番号付与位置である。
【００７８】
印刷ジョブ作成管理部８は出力指定された画像出力装置４のページ番号付与機能の有無を画像出力装置制御部１０に問い合わせ、画像出力装置制御部１０は出力指定された画像出力装置４のページ番号付与機能の有無の問合せを受け付けると、当該画像出力装置４のページ番号付与機能の有無を印刷ジョブ作成管理部８に通知する。
【００７９】
ここで、出力指定された画像出力装置４がページ番号付与機能を有している場合、印刷ジョブ作成管理部８は印刷ジョブを印刷ジョブ送信部１３に渡し、印刷ジョブ送信部１３は印刷ジョブを受け付けると、受け付けた印刷ジョブを画像出力装置４に送信する。
【００８０】
ここで、出力指定された画像出力装置４がページ番号付与機能を有していない場合、印刷ジョブ作成管理部８はページ番号データ作成手段１６により作成されたページ番号データをページ番号画像データ生成部１１に渡し、ページ番号画像データ生成部１１はページ番号データを受け付けると、受け付けたページ番号データに基づいてページ番号画像データを生成し、生成したページ番号画像データをページ番号画像データ合成部１２に渡し、ページ番号画像データ合成部１２はページ番号画像データを受け付けると、印刷ジョブ作成管理部８から印刷画像を取り出し、ページ番号データに基づいて印刷画像にページ番号画像データを合成し、合成したページ番号画像付き印刷画像を印刷ジョブ作成管理部８に渡し、印刷ジョブ作成管理部８はページ番号付き印刷画像を受け付けると、受け付けたページ番号付き印刷画像に基づいて印刷ジョブを再作成し、再作成した印刷ジョブを印刷ジョブ送信部１３に渡し、印刷ジョブ送信部１３は印刷ジョブを受け付けると、受け付けた印刷ジョブを画像出力装置４に送信する。
【００８１】
また、分割印刷等の指定により、複数の画像出力装置４を出力先として指定され、当該指定された複数の画像出力装置４のうち１つでも異なる種類のページ番号付与機能がある場合、ページ番号付与機能を有していないとみなし、ページ番号データに従ってページ番号画像データの生成および合成を行う。
【００８２】
印刷ジョブ保存部９に保存されている印刷ジョブを再印刷するように指示された場合、新たなページ番号付与の設定内容が無ければ、印刷ジョブ保存部９に保存されている印刷ジョブの中のページ番号データに基づいて生成したページ番号画像データを印刷画像に合成し、合成した印刷画像の印刷ジョブを画像出力装置４に送信し、新たなページ番号付与の設定内容が有れば、当該新たなページ番号付与の設定内容に基づいてページ番号データを作成し、作成したページ番号データに基づいて生成したページ番号画像データを印刷画像に合成し、合成した印刷画像の印刷ジョブを画像出力装置４に送信する。
【００８３】
次に、印刷処理装置２で行われる印刷処理について図４に示すフローチャートを参照して説明する。
【００８４】
画像入力装置から画像データを受信し（ステップＳ４０１）、受信した画像データを変換して印刷画像を生成し（ステップＳ４０２）、生成した印刷画像に基づいて印刷ジョブを作成し（ステップＳ４０３）、ページ番号付与指定の有無を確認する（ステップＳ４０４）。
【００８５】
ページ番号付与指定が有る場合（ステップＳ４０４でＹＥＳ）、ページ番号データを作成する（ステップＳ４０５）。
【００８６】
１つの画像出力装置が出力先として指定されている場合（ステップＳ４０６でＮＯ）、指定された画像出力装置のページ番号付与機能の有無を確認する（ステップＳ４０７）。
【００８７】
指定された画像出力装置がページ番号付与機能を有しない場合（ステップＳ４０７でＮＯ）、ページ番号画像データを生成し（ステップＳ４０８）、生成したページ番号画像データを印刷画像に合成し（ステップＳ４０９）、印刷ジョブを画像出力装置に送信し（ステップＳ４１０）、印刷処理手順を終了する。
【００８８】
なお、ステップＳ４０６において、複数の画像出力装置が出力先として指定されている場合（ステップＳ４０６でＹＥＳ）、全ての画像出力装置のページ番号付与機能の有無および種類を確認する（ステップＳ４１１）。
【００８９】
全ての画像出力装置のページ番号付与機能が同一でない場合（ステップＳ４１１でＮＯ）、ページ番号画像データを生成し（ステップＳ４０８）、生成したページ番号画像データを印刷画像に合成し（ステップＳ４０９）、印刷ジョブを画像出力装置に送信し（ステップＳ４１０）、印刷処理手順を終了する。
【００９０】
なお、ステップＳ４１１において、全ての画像出力装置のページ番号付与機能が同一である場合（ステップＳ４１１でＹＥＳ）、印刷ジョブを画像出力装置に送信し（ステップＳ４１０）、印刷処理手順を終了する。
【００９１】
なお、ステップＳ４０４において、ページ番号付与指定が無い場合（ステップＳ４０４でＮＯ）、印刷ジョブを画像出力装置に送信し（ステップＳ４１０）、印刷処理手順を終了する。
【００９２】
なお、ステップＳ４０７において、指定された画像出力装置がページ番号付与機能を有する場合（ステップＳ４０７でＹＥＳ）、印刷ジョブを画像出力装置に送信し（ステップＳ４１０）、印刷処理手順を終了する。
【００９３】
次に、ページ番号付与の設定内容の指定について具体的な実施例を参照して詳細に説明する。
【００９４】
図５は、ページ番号付与の設定内容の指定画面２０の一例を示す図である。
【００９５】
図５に示すように、ページ番号付与の設定内容の指定画面２０にて、ページ番号開始ページ、開始ページ番号、フォント、フォントサイズ、ページ番号付与位置を設定することができる。
【００９６】
図５に示すページ番号開始ページの項目２１に所望のページ数を入力することで、ページ番号付与を開始するページを設定することができ、図５に示す開始ページ番号の項目２２に所望のページ数を入力することで、開始ページ番号を設定することができ、図５に示すフォントのコンボボックス２３から所望のフォントを選択することができ、図５に示すフォントサイズのコンボボックス２４から所望のフォントサイズを選択することができ、図５に示すページ番号付与位置のコンボボックス２５から所望のページ番号付与位置を選択することができる。
【００９７】
なお、ホチキス、パンチ、紙折り指定等とページ番号付与位置との間に矛盾が生じるような場合（例えば、ホチキス：上２箇所／ページ番号付与位置：上）、アラートをユーザに対して発生させることもできる。
【００９８】
また、ページ番号データが保存されている再印刷用のファイルを印刷する場合、ページ番号付与の設定内容の指定画面のページ番号開始ページの項目２１、開始ページ番号の項目２２、フォントのコンボボックス２３、フォントサイズのコンボボックス２４、ページ番号付与位置のコンボボックス２５には当該ページ番号データの値がデフォルト値として表示されるが、当該デフォルト値を変更することもできる。
【００９９】
次に、ページ番号画像データの合成について具体的な実施例を参照して詳細に説明する。
【０１００】
図６は、ページ番号画像データの合成について説明する図である。
【０１０１】
図６（ａ）は、印刷条件として、
［印刷：片面／ページ番号開始ページ：１／開始ページ番号：１／ページ番号付与位置：下右端］
が設定された場合のページ番号画像データの合成の一例である。
【０１０２】
図６（ａ）に示すように、１ページ目の用紙の下右端にページ番号「１」が合成され、２ページ目の用紙の下右端にページ番号「２」が合成され、３ページ目の用紙の下右端にページ番号「３」が合成され、４ページ目の用紙の下右端にページ番号「４」が合成され、５ページ目の用紙の下右端にページ番号「５」が合成されている。
【０１０３】
図６（ｂ）は、印刷条件として、
［印刷：両面＆左右開き／ページ番号開始ページ：１／開始ページ番号：１／ページ番号付与位置：下右端］
が設定された場合のページ番号画像データの合成の一例である。
【０１０４】
図６（ｂ）に示すように、１ページ目の用紙の表の下右端にページ番号「１」が合成され、１ページ目の用紙の裏の下左端にページ番号「２」が合成され、２ページ目の用紙の表の下右端にページ番号「３」が合成され、２ページ目の用紙の裏の下左端にページ番号「４」が合成され、３ページ目の用紙の表の下右端にページ番号「５」が合成されている。
【０１０５】
なお、上記で説明した実施の形態において、出力先の画像出力装置４がＰＤＬをサポートする場合（画像出力装置４でページ番号出力が可能な場合）、画像データをＰＤＬ変換する際にページ番号付与を指示する構成でも適用可能である。この場合、画像出力装置４の機能に応じたページ番号付与処理を行うことが可能になる。
【０１０６】
また、上記で説明した実施の形態において、保存された複数の印刷ジョブを合成するような場合は、合成処理時に上記ページ番号データを合成後のページ情報に合わせて再構築するような構成をとり、再印刷の印刷ジョブを合成、ページ編集する場合でもページ番号付けの保存文書単位での一貫性が保たれる構成をもつことができる。
【０１０７】
また、再印刷の印刷ジョブからドキュメントフォーマットファイルを生成できるような機能がある場合、上記ページ番号情報付きの再印刷ファイルからはページ番号付きのドキュメントフォーマットファイルが得られるような構成でも良い。
【０１０８】
また、本発明は、上記で説明した実施の形態の印刷処理装置２と同様の処理を行うことが可能な印刷処理プログラム（プリンタドライバ）を一般的なＰＣ（Personal Computer）等の汎用電子計算機にインストールする構成でも適用可能である。
【図面の簡単な説明】
【０１０９】
【図１】本発明の実施の形態で用いる印刷処理システム１の全体構成の一例を示すブロック図である。
【図２】印刷処理装置２、画像入力装置３、画像出力装置４の機能的な構成を示すブロック図である。
【図３】印刷ジョブ作成管理部８、印刷ジョブ保存部９について詳細に説明するブロック図である。
【図４】印刷処理装置２で行われる印刷処理を示すフローチャートである。
【図５】ページ番号付与の設定内容の指定画面２０の一例を示す図である。
【図６】ページ番号画像データの合成について説明する図である。
【符号の説明】
【０１１０】
１    印刷システム
２    印刷処理装置
３    画像入力装置
４    画像出力装置
５    ネットワーク
６    受付部
７    画像データ変換部
８    印刷ジョブ作成管理部
９    印刷ジョブ保存部
１０    画像出力装置制御部
１１    ページ番号画像データ生成部
１２    ページ番号画像データ合成部
１３    印刷ジョブ送信部
１４    画像入力部
１５    出力条件設定部
１６    ページ番号データ作成手段
１７    ページ番号データ
１８    再印刷用ファイル
１９    印刷画像
２０    ページ番号付与の設定内容の指定画面
２１    ページ番号開始ページの項目
２２    開始ページ番号の項目
２３    フォントのコンボボックス
２４    フォントサイズのコンボボックス
２５    ページ番号付与位置のコンボボックス
【図１】
2005328350.tif 000003
【図２】
2005328350.tif 000004
【図３】
2005328350.tif 000005
【図４】
2005328350.tif 000006
【図５】
2005328350.tif 000007
【図６】
2005328350.tif 000008